(57)【特許請求の範囲】
【請求項１】
楽音発生手段、背景映像再生手段、記憶手段および効果音付与手段を備えるカラオケ装置であって、
前記楽音発生手段は、指定された楽曲の楽曲データに基づいてカラオケ楽音を発生させ、
前記背景映像再生手段は、前記指定された楽曲のジャンルに対応して、前記記憶手段から読み出される映像データに基づいて背景映像を再生し、
前記記憶手段は、映像データ、それに対応する音場制御パラメータを記憶し、
前記音場制御パラメータは、映像データの再生中の音場制御を指定し、
前記効果音付与手段は、前記カラオケ楽音、またはマイクを介して入力した歌唱音声の少なくとも一方に、前記映像データの再生に伴って読み出される音場制御パラメータに基づいて音場制御を施す
ことを特徴とするカラオケ装置。
【発明の詳細な説明】
【０００１】
【発明の属する技術分野】
この発明は、カラオケの演奏とともに背景映像を表示するカラオケ装置に関する。
【０００２】
【従来の技術】
従来より、カラオケの演奏とともにその曲の背景映像を表示するカラオケ装置が知られている。この種のカラオケ装置においては、背景映像のデータ量が膨大であることから、曲ごとに対応した背景映像の映像データを保持するのではなく、何種類かの背景映像の映像データを保持しておき、この中から曲のジャンル（その曲の音楽ジャンルや季節等の属性）に合った背景映像を選択し表示するのが一般的である。例えば、音源型のカラオケ装置においては、カラオケの楽曲データ（ＭＩＤＩデータ等）のヘッダ部分にジャンル情報を含めておき、これを検索キーとしてその曲に相応しい映像データをＬＤ（レーザディスク）やＣＤ−ＲＯＭ等からサーチし、これを再生することにより曲にマッチした背景映像を表示するようになっている。
【０００３】
【発明が解決しようとする課題】
ところで、カラオケの演奏に伴って表示される背景映像は、場所、雰囲気、登場人物や物など様々であり、１つの曲に対応する映像データにおいても曲の進行とともに場面が次々と変わる。しかしながら、従来のカラオケ装置においては、上述したようにカラオケの曲に固有の背景映像を演奏と同期して再生する訳ではなく、単に曲のジャンルに合った背景映像を選択して同時並行的に再生するのみで、曲の進行に沿って音響効果を付与することはあっても背景映像の場面に合わせて音響効果を付与することはなかった。このため、背景映像は単なるＢＧＶ（バックグラウンド・ビデオ）としての効果しかなく、臨場感に乏しいものであった。
【０００４】
この発明は、このような背景の下になされたもので、背景映像に合った音響効果を付与することによって臨場感に溢れたカラオケを楽しむことができるカラオケ装置を提供することを目的としている。
【０００５】
【課題を解決するための手段】
上述した課題を解決するために、本発明は、楽音発生手段、背景映像再生手段、記憶手段および効果音付与手段を備えるカラオケ装置であって、前記楽音発生手段は、指定された楽曲の楽曲データに基づいてカラオケ楽音を発生させ、前記背景映像再生手段は、前記指定された楽曲のジャンルに対応して、前記記憶手段から読み出される映像データに基づいて背景映像を再生し、前記記憶手段は、映像データ、それに対応する音場制御パラメータを記憶し、前記音場制御パラメータは、映像データの再生中の音場制御を指定し、前記効果音付与手段は、前記カラオケ楽音、またはマイクを介して入力した歌唱音声の少なくとも一方に、前記映像データの再生に伴って読み出される音場制御パラメータに基づいて音場制御を施すことを特徴とする。
【０００７】
【発明の実施の形態】
以下、図面を参照して、この発明の実施形態について説明する。
【０００８】
Ａ：実施形態の構成
図１はこの発明の一実施形態を示すブロック図である。
【０００９】
（１）全体構成
図１はこの発明の一実施形態の全体構成を示すブロック図である。同図において、１はセンタ局に設置されたホストコンピュータであり、カラオケの楽曲データ（詳細は後述する）を蓄積したデータベースＤＢを有している。このホストコンピュータ１には、通信回線（公衆電話回線またはＩＳＤＮ）Ｎを介し、各カラオケ店舗に設置された複数のカラオケ端末２，２，……が接続されており、定期的に楽曲データを各カラオケ端末に配信するようになっている。
【００１０】
（２）カラオケ端末２の構成
次に、図２はカラオケ端末２の構成を示すブロック図である。同図において、２１はＣＰＵであり、バスＢＵＳを介し接続される端末各部を制御する。また、２２はＲＯＭであり、ＣＰＵ２１が実行する制御プログラムおよび楽曲データに含まれる歌詞コードに対応したフォントデータを記憶する。さらに、２３はＲＡＭであり、ＣＰＵ２１のワークエリアとして用いられる。
【００１１】
また、２４はハードディスクであり、ホストコンピュータ１から配信される楽曲データを記憶する。すなわち、各カラオケ端末においては、ホストコンピュータ１から供給される楽曲データを一旦ハードディスク２４に蓄積し、これを読み出して用いるようになっている。
【００１２】
また、２５は通信Ｉ／Ｆ（インタフェース）であり、ホストコンピュータ１から送信される楽曲データを受信しハードディスク２４へＤＭＡ（ダイレクト・メモリ・アクセス）転送する。
【００１３】
さらに、２６はパネルＩ／Ｆであり、カラオケ装置本体またはリモコン端末（図示略）の操作パネルに対するキー入力操作（例えば曲番号の入力、演奏の開始または中止の指示、ボリューム、テンポ等の設定等）を検出しこの検出結果を入力データとしてＣＰＵ２１へ供給する。
【００１４】
次に、２７は音源であり、ＣＰＵ２１により供給される楽音制御データ（楽曲データに含まれる。）に対応した楽音信号を合成しこれをミキサ２８へ出力する。２９は音声デコーダであり、ＣＰＵ２１により供給されるＡＤＰＣＭデータ（楽曲データに含まれるバックコーラス等の音声データ、または、後述する映像データから参照される効果音のデータ）に対応した音声信号を生成しこれをミキサ２８へ出力する。ミキサ２８は、音源２７から供給される楽音信号、音声デコーダ２９から供給されるバックコーラスや効果音の音声信号、およびマイクＭから入力される歌唱者の音声信号を混合し出力する。
【００１５】
また、３０はエフェクタであり、ＣＰＵ２１により供給される効果付与の制御データ（楽曲データまたは映像データに含まれる。）に基づきミキサ２８の出力にエコー、リバーブ、ディレイ等の各種効果を付与する。さらに、３１はサウンドシステムであり、エフェクタ３１の出力からノイズ成分等を除去した後、図示しないスピーカより放音する。
【００１６】
次に、３２は背景映像再生装置であり、動画ＣＤ等の映像記憶媒体に記憶されたカラオケの背景映像を表示するための映像データ（詳細は後述する）を再生する。また、３３は映像ミキサであり、ＲＯＭ２２から読み出される歌詞のフォントデータを背景映像にスーパーインポーズし、この合成画像を出力する。さらに、３４はディスプレイであり、映像ミキサ３３の出力に対応した背景と歌詞の合成画像を表示する。
【００１７】
（３）楽曲データの詳細
次に、楽曲データの詳細について説明する。図３に示すように、１曲についての楽曲データは、ヘッダ、楽音トラック、表示トラック、音声トラック、効果制御トラック、および音声データ領域からなっている。ヘッダは、その曲に関する種々のデータが書き込まれる部分であり、曲番号、曲名、ジャンル、曲の演奏時間等のデータが記述されている。
【００１８】
楽音トラックには、音源２７による楽音合成を制御するシーケンスデータが記述されており、発音、消音等を制御するイベントデータとタイミングを制御するデュレーションデータからなっている。表示トラックには、曲の進行と同期してディスプレイ３４に表示させるべきカラオケの歌詞に対応したコード情報が記述されている。音声トラックには、曲の進行と同期して音声データ領域からバックコーラス等の効果音のＡＤＰＣＭデータを読み出すためのアドレス情報等が記述されている。さらに、効果制御トラックには、エコー、リバーブ等の楽音に付与すべき効果を制御する制御データが記述されている。
【００１９】
（４）映像データの詳細
次に、映像データの詳細について説明する。図４に示すように、１曲についての映像データは、ジャンル情報を含むヘッダの後ろに背景映像を構成する所定時間単位の映像データ（以下、場面データという）が続くことによって構成されるが、各場面データの前にはその場面で発生すべき効果音を指定するデータ（以下、効果音アドレスという）と音場を制御するデータ（以下、音場制御パラメータという）が付加されている。
【００２０】
ここで、効果音を発生するための音声データは、図５に示すように、映像データから指定される効果音アドレスによって参照される各種効果音（汽笛の音、カモメの鳴き声、歩く音等）のＡＤＰＣＭデータのデータファイルとして構成され、ハードディスク２４に記憶されている。なお、このデータファイルは、楽曲データと同様、センタ局のホストコンピュータ１から通信回線Ｎを介して各カラオケ端末２に配信される。
【００２１】
また、音場制御パラメータは、エフェクタ３０による反射音の遅延時間等を制御するパラメータである。例えば、背景映像として港や海岸などのように周囲が開けている場所が表示されていれば、これに対応して遅延時間を大きくする（例えば、無限大にする）音場制御パラメータが設定される。この場合、音が遠くにぬけるような音場が形成される。逆に、室内などの狭い場所が背景映像として表示されていれば、これに対応して遅延時間を小さくする音場制御パラメータが設定される。この場合、狭い場所で音がこもるような音場が形成される。
【００２２】
Ｂ：実施形態の動作
次に、上記構成からなるカラオケ装置の動作を説明する。まず、利用者がカラオケの曲番号をリモコン端末から入力すると、この曲番号は、パネルＩ／Ｆ２６を介してＣＰＵ２１に取り込まれる。これにより、ＣＰＵ２１は、曲番号に対応する楽曲データをハードディスク２４からサーチする。
【００２３】
楽曲データがサーチされると、そのヘッダを参照し、ジャンル情報を読み取る。そして、読み取ったジャンル情報から所定の変換テーブルを介して映像データのアドレスを求め、これを背景映像再生装置３２に指定する。これにより、背景映像再生装置３２は、指定された楽曲のジャンルに対応する映像データを映像記憶媒体からサーチし、これを再生する。
【００２４】
こうして、楽曲データと映像データがサーチされると、両データは並行して再生される。まず、楽曲データについては、楽音トラック、表示トラック、音声トラックおよび効果制御トラックが時分割により同期再生される。これにより、楽音トラックから読み出される楽音制御データは音源２７へ供給され、表示トラックから読み出される歌詞コードに対応するフォントデータはＲＯＭ２２から映像ミキサ２３へ供給され、音声トラックで指定された音声データ領域から読み出されるＡＤＰＣＭデータは音声デコーダ２９へ供給され、さらに効果制御トラックから読み出される制御データはエフェクタ３０へ供給される。
【００２５】
一方、映像データについては、上記楽曲データの再生と並行して、効果音アドレスと音場制御パラメータが読み出されるとともに場面データが再生される。これにより、効果音アドレスによって指定された効果音のＡＤＰＣＭデータはハードディスク２４から音声デコーダ２９へ転送され、音場制御パラメータはエフェクタ３０へ供給され、さらに場面データの再生によって得られる映像信号は映像ミキサ２３へ供給される。なお、各効果音の発生タイミングは映像データの中に含まれる発生命令（図示略）によって決定される。
【００２６】
こうして、音源２７においては楽音制御データに対応したカラオケの楽音が合成されるとともに、音声デコーダ２９においてはバックコーラス等の音声および背景映像に対応した効果音が復元される。さらに、これらの楽音はミキサ２８においてマイクＭから入力された歌唱音声と混合され、エフェクタ３０にてエコー、リバーブ等の効果が付与されるとともに背景映像に対応した音場制御が施された後、サウンドシステム３１を経てスピーカより放音される。一方、このカラオケ演奏と並行して、映像ミキサ２３においては背景映像に歌詞のフォント画像がスーパーインポーズされ、その合成画像がディスプレイ３４に表示される。
【００２７】
このように、本実施形態によれば、カラオケの演奏とともに表示される背景映像に対応した効果音をカラオケの楽音に付加でき、しかもその背景映像に対応した音場を形成することができる。これによって、例えば港の背景映像が表示されている場合には、汽笛の音、カモメの鳴き声等の効果音を付与し、音がぬけるような音場を形成することが可能となり、臨場感に溢れたカラオケを楽しむことができる。
【００２８】
Ｃ：変形例
（１）上記実施形態においては、カラオケの楽音、背景映像に対応した効果音、歌唱音声等をミキサ２３にてすべて混合した後に、エフェクタ３０において背景映像に対応した音場制御を施すようにした。このようにすべての音に対して音場制御を施すのではなく、一部の効果音や歌唱音声について音場制御を施すようにしてもよい。例えば、背景映像に対応した効果音のみについて音場制御を施したい場合には、図６に示すように、音声デコーダ２９の出力をバックコーラスの音声Ｖ１と背景映像に対応した効果音Ｖ２とに分け、効果音Ｖ２のみについて音場制御を施すエフェクタ３０′をミキサ２８の前段に設け、エフェクタ３０では楽曲データで指定される効果のみを付与するようにすればよい。
【００２９】
（２）また、上記実施形態においては、背景映像に対応した効果音の付与と音場制御の両方を行うよう構成したが、このような構成に限らず、いずれか一方のみを行うようにしても背景映像に対応した臨場感を楽しむことは可能である。この場合、実施形態と比較してデータ量を少なくでき、しかも構成が簡単になるという利点が得られる。
【００３０】
（３）また、音場を制御するパラメータとしては、反射音の遅延時間に限らず、その強さや到来方向を制御するようにしてもよい。
【００３１】
（４）また、映像データや効果音のデータファイルについては、上記実施形態のデータ形式に限らず、本発明による機能が実現可能であれば、その他のデータ形式を採用してもよい。
【００３２】
（５）さらに、上記実施形態では、本発明を通信カラオケに適用したが、これに限らず、カラオケの演奏と並行して背景映像を表示させるものであれば、その他のカラオケ装置にも適用可能である。
【００３３】
【発明の効果】
以上説明したように、この発明によれば、背景映像に合った効果音や音場を形成することができるので、利用者は臨場感に溢れたカラオケを楽しむことができる。
【図面の簡単な説明】
【図１】 この発明の一実施形態によるカラオケ装置の全体構成を示すブロック図である。
【図２】 同実施形態におけるカラオケ端末の構成を示すブロック図である。
【図３】 同実施形態における楽曲データの詳細を説明するためのフォーマット図である。
【図４】 同実施形態における映像データの詳細を説明するためのフォーマット図である。
【図５】 同実施形態における効果音のデータファイルの内容を示すフォーマット図である。
【図６】 本発明の変形例を示すブロック図である。
【符号の説明】
１…ホストコンピュータ、２…カラオケ端末、２１…ＣＰＵ、２２…ＲＯＭ、２３…ＲＡＭ、２４…ハードディスク、２５…通信Ｉ／Ｆ、２６…パネルＩ／Ｆ、２７…音源、２８…ミキサ、２９…音声デコーダ、３０…エフェクタ、３１…サウンドシステム、３２…背景映像再生装置、３３…映像ミキサ、３４…ディスプレイ、Ｍ…マイク。
【図１】
0003867633.tif 000002
【図２】
0003867633.tif 000003
【図３】
0003867633.tif 000004
【図４】
0003867633.tif 000005
【図５】
0003867633.tif 000006
【図６】
0003867633.tif 000007